(57)【要約】【課題】  地下収納が発見しにくく、しかも金庫の昇降操作がスイッチ操作のみで簡単に行えない、昇降式床下収納金庫を提供する。【解決手段】  床板２で閉鎖される床下収納庫１に収納される金庫３を昇降装置４で必要に応じ、床上に上昇させて使用する。床下収納庫を閉鎖する床板に金庫を金庫の床下収納庫への収納時に金庫自重を床板の重しとなるように設置し、床下収納庫を閉鎖する一方、地下収納庫に昇降装置を金庫の床下収納時には金庫底部から離脱してこれを載置せず、昇降時にのみ金庫を載置して昇降するように設置してなるとともに、昇降装置４が電動機４１を備え、電動機に駆動電力を供給可能で、電源スイッチＳｗ１を有する電源回路と電動機による昇降装置の昇降動作を制御可能で、制御スイッチＳｗ２を有する制御回路とを備え、電源スイッチＳｗ１が、床下収納庫の設置場所と異なる場所の電源スイッチＳｗ３と連動するように配線されている。【選択図】図１
2005350902.tif 000002
【特許請求の範囲】
【請求項１】
床板２で閉鎖される床下収納庫１に収納される金庫３を昇降装置４で必要に応じ、床上に上昇させて使用する床下収納金庫において、
上記床下収納庫１を閉鎖する床板２に金庫３を金庫の床下収納庫への収納時に金庫自重を床板の重しとなるように設置し、床下収納庫を閉鎖する一方、上記地下収納庫に昇降装置を金庫の床下収納時には上記金庫底部から離脱してこれを載置せず、昇降時にのみ上記金庫を載置して昇降するように設置してなるとともに、上記昇降装置４が電動機４１を備え、該電動機に駆動電力を供給可能で、電源スイッチＳｗ１を有する電源回路と電動機による昇降装置の昇降動作を制御可能で、制御スイッチＳｗ２を有する制御回路とを備え、上記電源スイッチＳｗ１が、床下収納庫の設置場所と異なる場所の電源スイッチと連動するように配線されていることを特徴とする昇降式床下収納金庫。
【請求項２】
上記制御スイッチＳｗ２で制御される電動機４１の制御回路を壁部に設置した差し込み口で開放する一方、上記制御スイッチＳｗ２を作動させるスイッチ素子を上記差し込み口に差し込むと上記電動機の開放回路を閉鎖回路とするように構成してなる請求項１記載の昇降式床下収納金庫。
【請求項３】
床板２が荷物等を載置する押し入れの床板、置物下の床板である請求項１記載の昇降式床下収納金庫。
【請求項４】
ワイヤレスリモコン用発振器と受信器で上記電動機を動作させる請求項１または２記載の昇降式床下収納金庫。
【発明の詳細な説明】
【技術分野】
【０００１】
本発明は必要に応じ、床下に収納させた金庫を使用できるように床上に移動させることができる昇降式床下収納金庫に関する。
【背景技術】
【０００２】
従来、床下等に地下室を構成し、ボタン操作等により、昇降自在にして金庫を収納して盗難及び災害に対し安全を保持する金庫装置（特許文献１）や床の下方に金庫を収納する地下室を設け、金庫の上面は床と同じ色の耐火性の蓋体で覆われ、金庫を利用するために駆動すると、蓋体も一緒に駆動されるように構成され、駆動は、水道水の水圧で作動するピストンシリンダユニットから構成した装置（特許文献２）が提案されている。
【特許文献１】特開昭５７−１１９０７８号公報
【特許文献２】特開２００２−２０６３７３号公報
【発明の開示】
【発明が解決しようとする課題】
【０００３】
しかしながら、単に床下に地下室を設け、ここに金庫を収納しておいても火災等に対して安全であっても地上にスイッチがあり、簡単にスイッチ操作で昇降されるのであれば、盗難防止にはあまり効果がない。そこで、地下収納が発見しにくく、しかも金庫の昇降操作がスイッチ操作のみで簡単に行えない、昇降式床下収納金庫を提供することを目的とする。
【課題を解決するための手段】
【０００４】
本発明者は、従来の地下収納金庫の欠点は、床板が簡単に開閉されるために盗難防止の効果がなく、しかも昇降装置が外部から簡単にスイッチ操作できるように設計されているためであることに着目し、鋭意研究の結果、本発明を完成したもので、床板２で閉鎖される床下収納庫１に収納される金庫３を昇降装置４で必要に応じ、床上に上昇させて使用する床下収納金庫において、
上記床下収納庫１を閉鎖する床板２に金庫３を懸垂設置して金庫の床下収納庫への収納時に金庫自重を床板の重しとなし、床下収納庫を閉鎖する一方、上記地下収納庫に昇降装置を金庫の床下収納時には上記金庫底部から離脱してこれを載置せず、昇降時にのみ上記金庫を載置して昇降するように設置してなるとともに、上記昇降装置４が電動機４１を備え、該電動機に駆動電力を供給可能で、電源スイッチＳｗ１を有する電源回路と電動機による昇降装置の昇降動作を制御可能で、制御スイッチＳｗ２を有する制御回路とを備え、上記電源スイッチＳｗ１が例えば洗面所、台所等の床下収納庫の設置場所と異なる場所の電源スイッチとなるように配線されていることを特徴とする昇降式床下収納金庫にある。
【発明の効果】
【０００５】
本発明によれば、金庫収納庫の床板に金庫が重しとして設置されているため、通常の床板と同様に簡単に開閉できず、金庫の収納位置が容易に発見できない。しかも金庫を昇降させる装置の電動機の電源スイッチが金庫収納位置と異なる例えば洗面所、台所等の電源スイッチと連動するようになっているため、金庫の収納が発見されても電動機が簡単に駆動できないため、床上への移動が困難である。
本発明装置においては、上記制御スイッチＳｗ２で制御される電動機４１の制御回路配線を常時開放される配線構成とするコンセントと該コンセントに接続され、回路配線を閉鎖するスイッチ素子とから構成することにより、さらに電動機の作動操作をより複雑にする。また、電動機での昇降で起動させるため、床板上に荷物があってもよく、押し入れの床板、置物下の床板を選択して、金庫の収納位置をより発見できなくすることができる。
【発明を実施するための最良の形態】
【０００６】
図１は、床板２で閉鎖される床下収納庫１に収納される金庫３を昇降装置４で必要に応じ、床上に上昇させて使用する床下収納金庫の斜視図を示し、
床下収納庫１は底をコンクリート打ちにて形成され、側壁はブロック積みによって形成される。床板２は中央部に金庫３が収納される金庫室２１とその側部に小物を収納する棚２２が形成され、金庫室２１に金庫３を収納され、床板２には金庫３が重しとなるように設置される。
【０００７】
上記地下収納庫１に昇降装置４が儲けられ、上昇してその上部に金庫室２１を載せ置くようになっている。したがって、金庫の床下収納時には上記金庫底部から昇降装置４の上部が離脱して金庫室２１を載置しない。
【０００８】
上記昇降装置４はシャーシ４０に組み立てられた一対のクロスアーム４２，４２によりテーブル４３を支え、電動機４１によりドライシリンダー４４を駆動させて一対のクロスアーム４２，４２を伸縮させるようになっている。なお、４５はリミットスイッチで、所定の位置でクロスアームの伸縮を停止させることができるようになっている。
【０００９】
上記電動機４１には駆動電力を供給可能で、電源スイッチＳｗ１を有する電源回路と電動機による昇降装置の昇降動作を制御可能で、制御スイッチＳｗ２を有する制御回路とを備え、上記電源スイッチＳｗ１が例えば洗面所、台所等の床下収納庫の設置場所と異なる場所の電源スイッチとなるように配線されている。
【００１０】
上記回路図は具体的には図３に示す通りである。
スチッチＳｗ１で、電灯５１をオンすると、モータ用のメイン電源５０から電流が流れる第１準備段階になる。
次に、スイッチＳｗ２をオンすると、モータを動作させる第２準備段階になり、交流電源がダイオードで構成された整流器５２によって直流に変換される。前記変換された直流がコンデンサ５３を通ることによって平滑され、トランジスタＱ１〜Ｑ４をモータ制御部５４により制御することによりモータＭを駆動することができるようになっている。特に、単一電源でモータに印加される電圧の方向を変えることができるように前記のような回路を構成する。 
基本的な動作はＱ１とＱ４のトランジスタが同時にオンになると点線２のように電流が流れてモータは正回転する。逆に、Ｑ２とＱ３をオンにすると実線１のように電流が流れ初めてモータは逆回転することになる。
そして、Ｑ３とＱ４を同時にオンするとモータが停止するブレーキモードになる。
また、モータ制御部５４は、モータドライバ用の専用ＩＣモジュールが利用される。その専用ＩＣモジュールは熱遮断回路５５、過電流保護回路５６及び過電圧保護回路５７などが内装される。
次に、制御された電源はトランス５８の巻数比によって昇圧され、トランスの第２次側の整流器５９によって電源が再び直流に変換され、出力側の平滑用コンデンサ６０に流れ、負荷であるモータＭを駆動するようになっている。
【００１１】
上記回路構成において、電源回路のスイッチＳｗ１は別室の電灯回路と兼用させ、別室の電灯５１をオンすることにより、モータの電源回路がオンするようになっているが、上記電動機４１の制御回路をスイッチＳｗ２を別体とし、上記制御スイッチＳｗ２で制御される電動機４１の制御回路を壁部に設置した差し込み口で開放する一方、上記制御スイッチＳｗ２を作動させるスイッチ素子を上記差し込み口に差し込むと上記電動機の開放回路を閉鎖回路とするように構成する。このように、上記スイッチＳｗ１の擬装とスイッチＳｗ２の擬装の２重構造により、安全対策は非常に高まることになる。
【００１２】
また、上記ダミースイッチＳｗ２に代えて、またはそれに加え、ワイヤレスリモコン用発振器と受信器で上記電動機を動作させるようにすれば、安全性は更に高まることになる。
【産業上の利用可能性】
【００１３】
本発明によれば、上記床板は、荷物等を載置する押し入れの床板、置物下の床板であることができ、上記スイッチの２重構造と相まって、火災にとって安全であるだけでなく、盗難防御に完璧な昇降式床下収納金庫を提供することができる。
【図面の簡単な説明】
【００１４】
【図１】本発明にかかる昇降式床下収納金庫の全体構成を示す斜視図であり、やや上昇した状態を示す。
【図２】本発明で用いる昇降装置の詳細を示す斜視図である。
【図３】本発明で用いる昇降装置の電動機の電源回路と制御回路の実際を示す回路図である。
【符号の説明】
【００１５】
１  床下収納庫
２  床板
３  金庫
４  昇降装置
【図１】
2005350902.tif 000003
【図２】
2005350902.tif 000004
【図３】
2005350902.tif 000005